(57)【要約】      （修正有）【課題】ログ情報を適切に管理できる印刷装置、及び印刷装置の制御方法を提供する。【解決手段】ホストコンピューター３と接続する複合処理装置１であって、複合処理装置の状態及び処理内容を示すログ情報を記録するログ情報記録領域１２０Ａに、ホストコンピューターから受信した識別情報記録コマンドにより指定されたログ識別情報をログ情報と共に記録する装置制御部１０００を備える。識別情報記録コマンドには、開始ログ識別情報を記録する開始ログ識別情報記録コマンドと、終了ログ識別情報を記録する終了ログ識別情報記録コマンドとの２種類がある。【選択図】図３
2019128871.tif 000002
【特許請求の範囲】
【請求項１】
外部装置と接続する印刷装置であって、
前記印刷装置の状態及び処理内容を示すログ情報を記録するログ情報記録領域に、前記外部装置から受信したコマンドにより指定された識別情報を、前記ログ情報と共に記録する制御部を備える、
印刷装置。
【請求項２】
前記ログ情報記録領域は、第１ログ情報記録領域と第２ログ情報記録領域とを含み、
前記制御部は、
前記第１ログ情報記録領域に、前記ログ情報及び前記識別情報を記録し、
前記第２ログ情報記録領域に、前記第１ログ情報記録領域に記録される前記ログ情報から抽出した抽出ログ情報、及び前記識別情報を記録する、
請求項１に記載の印刷装置。
【請求項３】
前記制御部は、
前記外部装置から前記ログ情報の出力指示があった場合に、
前記第１ログ情報記録領域に記録された前記ログ情報に含まれ、後に前記抽出ログ情報として前記第２ログ情報記録領域に記録される抽出相当ログ情報、及び前記第１ログ情報記録領域に記録された前記識別情報、並びに、前記第２ログ情報記録領域に記録された前記抽出ログ情報、及び前記第２ログ情報記録領域に記録された前記識別情報を出力する、
請求項２に記載の印刷装置。
【請求項４】
前記識別情報は、前記印刷装置が実行する所定処理の開始を示す開始識別情報と、終了を示す終了識別情報とを含む、
請求項１から３のいずれか一項に記載の印刷装置。
【請求項５】
外部装置と接続する印刷装置の制御方法であって、
前記印刷装置の状態及び処理内容を示すログ情報を記録するログ情報記録領域に、前記外部装置から受信したコマンドにより指定された識別情報を、前記ログ情報と共に記録する、
印刷装置の制御方法。
【発明の詳細な説明】
【技術分野】
【０００１】
本発明は、印刷装置、及び、印刷装置の制御方法に関する。
【背景技術】
【０００２】
従来、ログ情報を管理する技術が知られている（例えば、特許文献１参照）。特許文献１は、ジョブを形成する複数のプロセス毎にログ情報を管理するログ管理情報を生成し、ログ管理情報毎にログ情報を記憶保持する技術を開示する。
【先行技術文献】
【特許文献】
【０００３】
【特許文献１】特開２００９−９８８３８号公報
【発明の概要】
【発明が解決しようとする課題】
【０００４】
しかしながら、特許文献１は、複数のプロセス毎にログ情報を管理することが前提であるため、複数のプロセスからなる一連の処理毎にログ情報を管理することが難しい。
本発明は、上述した事情に鑑みてなされたものであり、ログ情報を適切に管理できるようにすることを目的とする。
【課題を解決するための手段】
【０００５】
上記課題を解決するために、本発明は、外部装置と接続する印刷装置であって、前記印刷装置の状態及び処理内容を示すログ情報を記録するログ情報記録領域に、前記外部装置から受信したコマンドにより指定された識別情報を、前記ログ情報と共に記録する制御部を備える。
本発明によれば、ログ情報記録領域に識別情報をログ情報と共に記録するため、一連の処理毎でもログ情報を管理できるようになり、ログ情報を適切に管理できる。
【０００６】
また、本発明は、前記ログ情報記録領域は、第１ログ情報記録領域と第２ログ情報記録領域とを含み、前記制御部は、前記第１ログ情報記録領域に、前記ログ情報及び前記識別情報を記録し、前記第２ログ情報記録領域に、前記第１ログ情報記録領域に記録される前記ログ情報から抽出した抽出ログ情報、及び前記識別情報を記録する。
本発明によれば、第１ログ情報記録領域に、ログ情報及び識別情報を記録し、第２ログ情報記録領域に、抽出ログ情報及び識別情報を記録するため、多くのログ情報を適切に管理できる。
【０００７】
また、本発明は、前記制御部は、前記外部装置から前記ログ情報の出力指示があった場合に、前記第１ログ情報記録領域に記録された前記ログ情報に含まれ、後に前記抽出ログ情報として前記第２ログ情報記録領域に記録される抽出相当ログ情報（抽出前ログ情報）、及び前記第１ログ情報記録領域に記録された前記識別情報、並びに、前記第２ログ情報記録領域に記録された前記抽出ログ情報、及び前記第２ログ情報記録領域に記録された前記識別情報を出力する。
本発明によれば、出力指示があった場合に、第１ログ情報記録領域に記録されたログ情報のうち後に前記抽出ログ情報として第２ログ情報記録領域に記録される抽出相当ログ情報（抽出ログ情報に相当する抽出前のログ情報）と識別情報とを出力し、また、第２ログ情報記録領域に記録された抽出ログ情報と識別情報とを出力するため、ログ情報記録領域に記録されたログ情報のうち抽出ログ情報（抽出相当ログ情報を含む）を識別情報と共に適切に出力できる。
【０００８】
また、本発明は、前記識別情報は、前記印刷装置が実行する所定処理の開始を示す開始識別情報と、終了を示す終了識別情報とを含む。
本発明によれば、識別情報が開始識別情報と終了識別情報とを含むため、一連の処理毎に、或いは、１の処理毎にその処理の開始と終了とを記録でき、ログ情報をより適切に管理できる。
【０００９】
また、上記課題を解決するために、本発明は、外部装置と接続する印刷装置の制御方法であって、前記印刷装置の状態及び処理内容を示すログ情報を記録するログ情報記録領域に、前記外部装置から受信したコマンドにより指定された識別情報を、前記ログ情報と共に記録する。
本発明によれば、ログ情報記録領域に識別情報をログ情報と共に記録するため、一連の処理毎でもログ情報を管理できるようになるため、ログ情報を適切に管理できる。
【図面の簡単な説明】
【００１０】
【図１】複合処理装置の外観斜視図。
【図２】複合処理装置の本体の構成を示す平面図。
【図３】複合処理装置とホストコンピューターとの構成を示す図。
【図４】ログ情報の一例を示す図。
【図５】複合処理装置の動作を示すフローチャート。
【図６】ログ情報、及びログ識別情報の一例を示す図。
【図７】ログ情報記録領域への記録を説明するための図。
【図８】ホストコンピューター、及び複合処理装置のフローチャート。
【発明を実施するための形態】
【００１１】
図１は、複合処理装置１（印刷装置）の外観斜視図である。
複合処理装置１は、シート状の小切手４や帳票類等の読取対象物（読取対象媒体）に対し、この読取対象物に記録された磁気インク文字の読み取り、この読取対象物の両面の光学的読み取り、及び、この読取対象物への印刷を行う装置である。また、複合処理装置１は、クレジットカード等のカード型の媒体に記録された磁気情報を読み取るリーダーとしての機能を有する装置である。また、複合処理装置１は、ロール紙Ｒに文字や画像等を印刷しロール紙Ｒを切断することにより、文字や画像等が印刷された紙片を発行する装置である。
【００１２】
本実施形態では、読取対象物として小切手４を例示する。小切手４は、所定の模様や装飾が施されたシートに金額、振出人、通し番号、サインなどが記録された帳票である。これら金額、振出人、通し番号、サインなどは表面４ａにあり、裏面４ｂには裏書き欄が設けられている。この裏書き欄には、後述するインクジェットヘッド１０（図２参照）によって、裏書きに係る所定の文字または画像が印刷される。また、小切手４の表面４ａには小切手４の長辺方向に延びる磁気インク文字列４ｃが形成されている。磁気インク文字列４ｃは、磁気インクで印刷された複数の磁気インク文字が並んだものであり、磁気的または光学的に読み取ることができる。
また、ロール紙Ｒは、加熱により発色する感熱紙であり、複合処理装置１は、後述するサーマルヘッド６５（図３参照）によりロール紙Ｒの印刷面を加熱することで文字や画像を印刷する。
【００１３】
複合処理装置１は、本体下部を覆う下部ケース１１、及び下部ケース１１に被せられるカバー１２からなる外装を有し、外装の内部に複合処理装置１の本体１３（図２参照）が収容されている。複合処理装置１の前面には、小切手４を挿入する挿入口１４が開口しており、挿入口１４の奥には複数の小切手４を積層して収納できるストッカー１５が設けられている。このストッカー１５は、前面側へ向かって引き出し自在に構成される。また、複合処理装置１は、下部ケース１１の前面に電源スイッチ７０を有する。
【００１４】
カバー１２には、上面視で略Ｕ字形状に、小切手４の搬送路Ｗ（図２参照）となるスリット１８が形成されている。スリット１８は、上述したストッカー１５に連通すると共に、複合処理装置１の前面側に設けられたポケット１９に連通している。ストッカー１５に収納された小切手４は、１枚ずつ複合処理装置１の内部に取り込まれ、スリット１８を通る間に処理されて、処理後の小切手４はポケット１９に排出される。ポケット１９は複数の小切手４を溜めることができる。
【００１５】
図１に示すように、ストッカー１５の側方には、磁気カードリーダーユニット２０が設けられている。磁気カードリーダーユニット２０は、カバー１２に形成されたカードスリット２１と、このカードスリット２１に対応して設けられたＭＣＲ（Magnetic Card Reader /Magnetic Stripe Reader）ヘッド２２（図３参照）とを備え、カードスリット２１を通るカード類に磁気的に記録された情報をＭＣＲヘッド２２によって読み取る。
【００１６】
図２は、複合処理装置１の外装内部に収容されている本体１３の構成を示す平面図である。
【００１７】
ストッカー１５の一側面には、ホッパー２５が設けられている。このホッパー２５は、ホッパー駆動モーター２６（図３参照）により、図中矢印方向に回動可能に構成されており、ストッカー１５に貯留された小切手４をストッカー１５の他方の側面側に付勢する。
ストッカー１５の他方の側面には、後述するＡＳＦ（Automatically Sheet Feeder）モーター２７（図３参照）により駆動されるピックアップローラー２８が配置されている。ホッパー２５がピックアップローラー２８側に回動すると、ストッカー１５に収容された小切手４のうち１枚は、この回動に応じてピックアップローラー２８に付勢され、ピックアップローラー２８に接触して、ピックアップローラー２８の回転に応じて搬送路Ｗに引き込まれる。
ストッカー１５の奥には、一対のローラーで構成されるＡＳＦローラー２９が配置されている。ＡＳＦローラー２９の２つのローラーは、搬送路Ｗの両側に配置され、一方は後述するＡＳＦモーター２７の動力により回転し、他方のローラーは従動ローラーである。ピックアップローラー２８に接した小切手４は、ＡＳＦローラー２９に挟まれて、スリット１８内を下流側へ搬送される。
【００１８】
ストッカー１５の所定の位置には、ＡＳＦ用紙検出器３１（図３参照）が設けられている。ＡＳＦ用紙検出器３１は、例えば透過型光センサーで構成され、ストッカー１５における小切手４の有無を検出する。
また、ストッカー１５において、ホッパー２５の待機位置には、ホッパー位置検出器３２（図３参照）が設けられている。ホッパー位置検出器３２は、例えば透過型光センサーで構成され、ホッパー２５が待機位置に位置しているか否かを検出する。
【００１９】
ＡＳＦローラー２９の下流側には、小切手４の表面４ａに接して磁気インク文字列４ｃを磁気的に読み取るＭＩＣＲ（Magnetic Ink Character Recognition）ヘッド３５が配置されている。ＭＩＣＲヘッド３５には、ＭＩＣＲローラー３６が対向配置される。ＭＩＣＲローラー３６はＭＩＣＲヘッド３５側に付勢されており、小切手４をＭＩＣＲヘッド３５に押しつけながら回転して、小切手４を、磁気インク文字列４ｃの読み取りに適した速度で搬送する。ＭＩＣＲヘッド３５の上流側には、ＡＳＦローラー２９により繰り出された小切手４をＭＩＣＲヘッド３５に案内する、一対のローラーからなるアシストローラー３７が配置されている。
【００２０】
また、アシストローラー３７とＭＩＣＲヘッド３５との間には、用紙長検出器３８が配置されている。用紙長検出器３８は、例えば反射型光センサーで構成され、その検出位置において搬送路Ｗを通る小切手４の有無を検出することにより、小切手４の先端及び後端を検出する。用紙長検出器３８の検出値は、後述する装置制御部１０００（図３参照）により取得され、この検出値の変化に基づいて小切手４の長さが求められる。
【００２１】
ＭＩＣＲヘッド３５の下流側には、搬送路Ｗを挟んで対向する一対のローラーを有する第１搬送ローラー４０が設けられ、さらに、この第１搬送ローラー４０の下流側には第２搬送ローラー４１が設けられている。これら第１搬送ローラー４０、及び、第２搬送ローラー４１は、搬送モーター４２（図３参照）によって回転駆動されるローラーである。小切手４は、これらローラーによってインクジェットプリンターユニット４４へ搬送される。
【００２２】
インクジェットプリンターユニット４４は、インクジェットヘッド１０を備えている。インクジェットヘッド１０は、本体１３の前部に収容されているインクカートリッジ４５からインクの供給を受けて、小切手４にインクを吐出する。インクジェットヘッド１０は、いわゆるラインインクジェットヘッドであり、小切手４に対する印刷の際、一定の速度で搬送される小切手４の裏面４ｂに対してインクを吐出し、画像を印刷する。この小切手４の裏面４ｂに印刷される画像は、いわゆる裏書きと呼ばれる文字や記号等である。
【００２３】
インクジェットヘッド１０の上流側であって、インクジェットヘッド１０と、第２搬送ローラー４１との間には、中間検出器４６が設けられている。中間検出器４６は、例えば反射型光センサーで構成され、検出位置における小切手４の有無を検出する。
【００２４】
インクジェットヘッド１０の下流には、小切手４を光学的に読み取るＣＩＳ（Contact Image Sensor）ユニットが配置されている。このＣＩＳユニットは、小切手４の表面４ａを読み取る表面ＣＩＳユニット４７と、裏面４ｂを読み取る裏面ＣＩＳユニット４８とを有し、小切手４の両面を光学的に読み取り可能である。表面ＣＩＳユニット４７と裏面ＣＩＳユニット４８とは、搬送路Ｗを挟んで対向配置されている。また、ＣＩＳユニットの上流側には第１ＣＩＳローラー５０が配置され、下流側には第２ＣＩＳローラー５１が配置されている。これら第１ＣＩＳローラー５０、及び、第２ＣＩＳローラー５１は、搬送モーター４２によって回転駆動されるローラーであり、ＣＩＳユニットによって読み取り中の小切手４が、これらローラーにより安定して搬送される。
【００２５】
第２ＣＩＳローラー５１の下流には、排出検出器５２が設けられている。排出検出器５２は、例えば反射型光センサーで構成され、検出位置における小切手４の有無を検出する。
【００２６】
表面ＣＩＳユニット４７、及び裏面ＣＩＳユニット４８の下流側には、上述したポケット１９が設けられている。ポケット１９は、メインポケット１９ａとサブポケット１９ｂとに区画されており、搬送路Ｗを形成するスリット１８が分岐してそれぞれのポケット１９に連通している。メインポケット１９ａ、及びサブポケット１９ｂは、それぞれ複数の小切手４を収納できる。
スリット１８が分岐した位置には、小切手４が排出されるポケット１９を、メインポケット１９ａとサブポケット１９ｂのいずれかに切り替える切替板５４が配置されている。切替板５４は、メインポケット１９ａに連通する経路とサブポケット１９ｂに連通する経路のいずれか一方を塞ぐことで小切手４を他方に案内するガイドであり、切替板駆動モーター５５によって駆動される。切替板５４からメインポケット１９ａに繋がる経路には排出ローラー５６が設けられ、また、切替板５４からサブポケット１９ｂに繋がる経路には排出ローラー５７が設けられている。小切手４は、切替板５４に案内されて、排出ローラー５６または５７により、いずれかのポケット１９ａまたは１９ｂに排出される。
複合処理装置１は、ＭＩＣＲヘッド３５による磁気インク文字列４ｃの読み取り結果に基づいて、小切手４が正しくセットされていると判別した場合、小切手４をメインポケット１９ａに排出し、小切手４が正しくセットされていないと判別した場合、サブポケット１９ｂに排出する。
【００２７】
また、図１、及び図２に示すように、複合処理装置１の中央部には、文字や画像等が印刷された紙片を発行するサーマルプリンターユニット６０が設けられている。
図１に示すように、サーマルプリンターユニット６０は、ユニット本体の上部を覆うプリンターカバー６１を備えている。このプリンターカバー６１は、カバー１２に対して開閉自在に取り付けられている。プリンターカバー６１が開くと、ロール紙Ｒを収容可能な空間であるロール紙収容部６２が露出し、ロール紙Ｒの装填や交換等が可能となる。プリンターカバー６１を閉じた状態において、プリンターカバー６１の前端には排紙口６３が形成され、ロール紙収容部６２に収容されたロール紙Ｒは、排紙口６３を介して外部に排出される。
サーマルプリンターユニット６０は、ロール紙収容部６２に収容されたロール紙Ｒを、搬送路において搬送するプラテン（不図示）と、プラテンと対向配置されたサーマルヘッド６５（図３参照）と、サーマルヘッド６５の下流側に配置され、搬送方向に対し直交する方向にロール紙Ｒを切断するカッターユニット６６とを備えている。サーマルプリンターユニット６０は、プラテンを駆動してロール紙Ｒを搬送方向に搬送しつつ、サーマルヘッド６５によりロール紙Ｒに文字や画像等を印刷し、カッターユニット６６によりロール紙Ｒを切断することで、紙片を発行する。
【００２８】
図３は、複合処理装置１とホストコンピューター３（外部装置）との構成を示す図である。
【００２９】
まず、ホストコンピューター３について説明する。
ホストコンピューター３は、複合処理装置１を制御する制御装置であり、例えば、デスクトップ型、ラップトップ型、或いはタブレット型のパーソナルコンピューターである。また、ホストコンピューター３は、複合処理装置１を制御するための専用のコンピューターでもよい。
【００３０】
ホストコンピューター３は、ホストプロセッサー３００と、ホスト不揮発性メモリー３１０と、ホスト揮発性メモリー３２０と、ホスト通信部３３０と、ホスト入力部３４０と、ホスト表示部３５０とを備える。
【００３１】
ホストプロセッサー３００は、ホストコンピューター３の各部を制御するＣＰＵ等のプロセッサーである。ホストプロセッサー３００は、ホスト不揮発性メモリー３１０、ホスト揮発性メモリー３２０、ホスト通信部３３０、ホスト入力部３４０、及び、ホスト表示部３５０と接続する。ホストプロセッサー３００は、これら各部とデータや信号を送受信することにより、ホストコンピューター３の各部を制御する。
【００３２】
ホスト不揮発性メモリー３１０は、フラッシュメモリーや、ＥＥＰＲＯＭ（Electrically Erasable Programmable Read Only Memory）等により構成され、ホストプロセッサー３００が読み出して実行するプログラムや、ホストプロセッサー３００がプログラムを実行して処理する各種データを記憶する。
【００３３】
ホスト揮発性メモリー３２０は、例えばＲＡＭにより構成され、ホストプロセッサー３００がプログラムを実行する場合に、実行されるプログラム、及び、処理されるデータや情報を一時的に記憶するワークエリアとして機能する。
【００３４】
ホストプロセッサー３００、ホスト不揮発性メモリー３１０、及びホスト揮発性メモリー３２０は、ホストコンピューター３の各部を制御する論理的な機能部である制御部を構成する。以下の説明では、この制御部をホスト制御部３０００と表現する。ホスト制御部３０００は、ホストプロセッサー３００がホスト不揮発性メモリー３１０に記憶されたプログラムをホスト揮発性メモリー３２０に読み出して処理を実行するように、ハードウェア及びソフトウェアの協働により処理を実行する。
【００３５】
ホスト通信部３３０は、通信規格に従った通信回路やコネクター等により構成され、ホスト制御部３０００の制御で、所定の通信規格に従って複合処理装置１と通信する。
【００３６】
ホスト入力部３４０は、ホストコンピューター３に設けられた操作スイッチや、ホストコンピューター３と接続したキーボード、タッチパネル等の入力装置を備え、ユーザーの入力装置に対する操作を検出し、ホスト制御部３０００に出力する。ホスト制御部３０００は、ホスト入力部３４０からの入力に対応する処理を実行する。
【００３７】
ホスト表示部３５０は、複数のＬＥＤや、表示ディスプレー等を備え、ホスト制御部３０００の制御で、ＬＥＤを所定の態様で点灯／消灯／点滅や、表示ディスプレーへの情報の表示等を実行する。
【００３８】
次に、複合処理装置１について説明する。
複合処理装置１は、装置プロセッサー１００と、装置不揮発性メモリー１１０と、装置揮発性メモリー１２０と、装置表示部１３０と、装置入力部１４０と、装置通信部１５０と、ヘッド駆動回路１６０と、モータードライバー１７０と、読取制御回路１８０と、検出器駆動回路１９０と、電源スイッチ７０とを備える。
【００３９】
装置プロセッサー１００は、複合処理装置１の各部を制御するＣＰＵ等のプロセッサーである。装置プロセッサー１００は、装置不揮発性メモリー１１０、装置揮発性メモリー１２０、装置表示部１３０、装置入力部１４０、装置通信部１５０、ヘッド駆動回路１６０、モータードライバー１７０、読取制御回路１８０、検出器駆動回路１９０、及び、電源スイッチ７０と接続する。装置プロセッサー１００は、これら各部とデータや信号を送受信することにより、複合処理装置１の各部を制御する。
【００４０】
装置不揮発性メモリー１１０は、フラッシュメモリーや、ＥＥＰＲＯＭ（Electrically Erasable Programmable Read Only Memory）等により構成され、装置プロセッサー１００が読み出して実行するプログラムや、装置プロセッサー１００がプログラムを実行して処理する各種データを記憶する。また、装置不揮発性メモリー１１０は、ログ情報退避領域を有し、後述するように、装置揮発性メモリー１２０のログ情報記録領域１２０Ａに記録された全データが、ログ情報退避領域に格納される。
【００４１】
装置揮発性メモリー１２０は、例えばＲＡＭにより構成され、装置プロセッサー１００がプログラムを実行する場合に、実行されるプログラム、及び、処理されるデータや情報を一時的に記憶するワークエリアとして機能する。装置揮発性メモリー１２０は、ログ情報記録領域１２０Ａを有する。ログ情報記録領域１２０Ａについては、後述する。
【００４２】
装置プロセッサー１００、装置不揮発性メモリー１１０、及び装置揮発性メモリー１２０は、複合処理装置１の各部を制御する論理的な機能部である制御部を構成する。以下の説明では、この制御部を装置制御部１０００と表現する。装置制御部１０００は、装置プロセッサー１００が装置不揮発性メモリー１１０に記憶されたプログラムを装置揮発性メモリー１２０に読み出して処理を実行するように、ハードウェア及びソフトウェアの協働により処理を実行する。
【００４３】
装置表示部１３０は、複数のＬＥＤや、表示ディスプレー８０等を備え、装置制御部１０００の制御で、ＬＥＤを所定の態様で点灯／消灯／点滅や、表示ディスプレー８０への情報の表示等を実行する。
【００４４】
装置入力部１４０は、複合処理装置１に設けられた操作スイッチ等の入力装置を備え、ユーザーの入力装置に対する操作を検出し、装置制御部１０００に出力する。装置制御部１０００は、装置入力部１４０からの入力に対応する処理を実行する。
【００４５】
装置通信部１５０は、通信規格に従った通信回路やコネクター等により構成され、装置制御部１０００の制御で、所定の通信規格に従ってホストコンピューター３と通信する。
【００４６】
ヘッド駆動回路１６０は、装置制御部１０００の制御に従って、インクジェットヘッド１０、及びサーマルヘッド６５を駆動する回路である。ヘッド駆動回路１６０により駆動されてインクジェットヘッド１０は小切手４への印刷を行う。また、ヘッド駆動回路１６０により駆動されてサーマルヘッド６５はロール紙Ｒへの印刷を行う。
【００４７】
モータードライバー１７０は、ホッパー駆動モーター２６と接続し、装置制御部１０００の制御に従ってホッパー２５を回動させる。また、モータードライバー１７０は、ＡＳＦモーター２７、及び搬送モーター４２に接続され、装置制御部１０００の制御に従って、これら各モーターに駆動電流や駆動パルスを出力してこれらモーターを動作させる。この動作に伴って、これらモーターに接続されたローラーは、駆動される。また、モータードライバー１７０は、切替板駆動モーター５５に接続され、装置制御部１０００の制御で、切替板駆動モーター５５に駆動電流や駆動パルスを出力して切替板５４を移動させる。切替板５４は、この移動により、小切手４の排出先を、メインポケット１９ａ又はサブポケット１９ｂに切り替える。
【００４８】
読取制御回路１８０は、ＭＣＲヘッド２２、ＭＩＣＲヘッド３５、表面ＣＩＳユニット４７、及び、裏面ＣＩＳユニット４８と接続する。
読取制御回路１８０は、装置制御部１０００の制御に従って、カードスリット２１（図１参照）にカード類が通される際にＭＣＲヘッド２２に磁気情報を読み取らせる。読取制御回路１８０は、ＭＣＲヘッド２２が出力する読取信号を装置制御部１０００に出力する。
また、読取制御回路１８０は、装置制御部１０００の制御に従って、ＭＩＣＲヘッド３５に磁気情報を読み取らせる。読取制御回路１８０は、ＭＩＣＲヘッド３５が出力する読取信号を装置制御部１０００に出力する。
また、読取制御回路１８０は、装置制御部１０００の制御に従って、表面ＣＩＳユニット４７及び裏面ＣＩＳユニット４８に、小切手４の表面４ａ及び裏面４ｂの読み取りを実行させる。読取制御回路１８０は、表面ＣＩＳユニット４７及び裏面ＣＩＳユニット４８が出力する読取信号を装置制御部１０００に出力する。
【００４９】
検出器駆動回路１９０は、ＡＳＦ用紙検出器３１、ホッパー位置検出器３２、用紙長検出器３８、中間検出器４６、及び、排出検出器５２と接続し、これらの各検出器に電流を供給して、所定周期で出力値を取得する。検出器駆動回路１９０は、取得した出力値を装置制御部１０００に出力する。
【００５０】
電源スイッチ７０は、例えば電力の導通状態と遮断状態とを切り替える機械的機構を有するメカニカルスイッチである。電源スイッチ７０が導通状態である場合（以下、「電源スイッチ７０がオン」と表現する）、電源部（不図示）から複合処理装置１の各部に電力が供給される。一方で、電源スイッチ７０が遮断状態である場合（以下、「電源スイッチ７０がオフ」と表現する）、電源部から複合処理装置１の各部への電力供給が停止される。装置制御部１０００（装置プロセッサー１００）は、電源スイッチ７０の状態（オンであるかオフであるか）を検出する。
【００５１】
複合処理装置１の装置制御部１０００は、装置揮発性メモリー１２０にログ情報ＲＪを記録する。
【００５２】
図４は、ログ情報ＲＪの一例を示す図である。
図４は、小切手４がストッカー１５からポケット１９に移動するまでの小切手４に対する一連の処理（以下、「小切手一連処理」と表現する）において、装置制御部１０００が記録したログ情報ＲＪの一例を示す。小切手一連処理には、ＭＩＣＲヘッド３５による磁気インク文字列４ｃの読み取り、インクジェットヘッド１０による小切手４の裏面４ｂへの印刷（裏書き）、表面ＣＩＳユニット４７及び裏面ＣＩＳユニット４８による小切手４の両面の読み取りの各処理が含まれる。
【００５３】
１のログ情報ＲＪには、記録対象となる事象（すなわちイベント）を識別する事象識別情報ＪＳＪ、事象が発生した日時を示す日時情報ＮＪ、事象の名称を示す事象名称情報ＪＭＪ、事象名称情報ＪＭＪより詳細な事象の名称を示す詳細名称情報ＳＭＪ、及び、検出器の検出状態を示す検出状態情報ＫＪが少なくとも対応付く。
【００５４】
例えば、ログ情報ＲＪ１は、「ＡＡＡＡ」を示す事象識別情報ＪＳＪと、「ＹＹＹＹ／ＭＭ／ＤＤ  １２：３４：５６」を示す日時情報ＮＪ、「検出器の状態変化」を示す事象名称情報ＪＭＪ、「ＡＳＦ状態変化」を示す詳細名称情報ＳＭＪ、及び、「ＯＮ」を示す検出状態情報ＫＪが対応付いている。これは、「ＹＹＹＹ／ＭＭ／ＤＤ（西暦年／月／日）  １２：３４：５６（２４時間制時刻、時：分：秒）」の日時に、検出器の状態が変化したことを示しており、より詳細には、「ＹＹＹＹ／ＭＭ／ＤＤ  １２：３４：５６」の日時に、ＡＳＦ用紙検出器３１の状態が非検出状態（紙無し状態）から検出状態（紙有り状態）に変化したことを示している。
【００５５】
ログ情報ＲＪ２は、ログ情報ＲＪ１と比較して、日時情報ＮＪ以外に、「ＯＦＦ」を示す検出状態情報ＫＪが対応付いていることが異なる。ログ情報ＲＪ２は、「ＹＹＹＹ／ＭＭ／ＤＤ  １２：３４：５９」の日時に、ＡＳＦ用紙検出器３１の状態が検出状態から非検出状態に変化したことを示している。
【００５６】
ログ情報ＲＪ３とＲＪ４は、「用紙長検出器状態変化」を示す詳細名称情報ＳＭＪが対応付いており、対応付く日時情報ＮＪが示す日時に、ログ情報ＲＪ３は、用紙長検出器３８の状態が非検出状態から検出状態に変化したことを示し、ログ情報ＲＪ４は、用紙長検出器３８の状態が検出状態から非検出状態に変化したことを示している。
ログ情報ＲＪ５とＲＪ７は、「中間検出器状態変化」を示す詳細名称情報ＳＭＪが対応付いており、対応付く日時情報ＮＪが示す日時に、ログ情報ＲＪ５は、中間検出器４６の状態が非検出状態から検出状態に変化したことを示しており、ログ情報ＲＪ７は、中間検出器４６の状態が検出状態から非検出状態に変化したことを示している。
ログ情報ＲＪ６とＲＪ８は、「排出検出器状態変化」を示す詳細名称情報ＳＭＪが対応付いており、対応付く日時情報ＮＪが示す日時に、ログ情報ＲＪ６は、排出検出器５２の状態が非検出状態から検出状態に変化したことを示し、ログ情報ＲＪ８は、排出検出器５２の状態が検出状態から非検出状態に変化したことを示している。
【００５７】
本実施形態では、事象識別情報ＪＳＪと事象名称情報ＪＭＪとは対応関係にあり、事象が異なれば異なる事象識別情報ＪＳＪがログ情報ＲＪに対応付く。ログ情報ＲＪ１〜ＲＪ８のぞれぞれは、広義的に検出器に関するログ情報ＲＪであるため、同じ「検出器の状態変化」を示す事象名称情報ＪＭＪと、同じ「ＡＡＡＡ」を示す事象識別情報ＪＳＪとが対応付く。但し、ログ情報ＲＪ１〜ＲＪ８のそれぞれは、詳細名称情報ＳＭＪについては、対応する検出器の状態が変化したことを示す詳細名称情報ＳＭＪが対応付く。
【００５８】
このように、ログ情報ＲＪは、事象識別情報ＪＳＪや事象名称情報ＪＭＪ等の事象に関する情報が日時情報ＮＪと対応付く情報である。本実施形態においてログ情報ＲＪは、ログ情報ＲＪ１〜ＲＪ８のそれぞれのように、事象に関する情報として、複合処理装置１の状態に関する情報が対応付く。複合処理装置１の状態とは、各検出器の状態や、各スイッチの状態等の複合処理装置１の各部の状態を含む。なお、検出器には、ロール紙Ｒや小切手４等の用紙の有無を検出する各種検出器や、ホッパー２５やカバー１２等の可動部材の状態（位置や開閉状態）を検出する各種検出器が含まれる。また、スイッチには、電源スイッチ７０等のユーザーにより操作される各種スイッチが含まれる。
【００５９】
また、本実施形態においてログ情報ＲＪは、ログ情報ＲＪ１〜ＲＪ８以外のログ情報ＲＪのように、事象である複合処理装置１が実行した処理を明示するために、処理内容を示す情報が対応付いている。すなわち、本実施形態においてログ情報ＲＪは、ログ情報ＲＪ１〜ＲＪ８以外のログ情報ＲＪのように、事象に関する情報として、処理内容を示す情報が対応付く。この処理内容を示す情報は、事象名称情報ＪＭＪとしてログ情報ＲＪに対応付く。例えば、図４において、ログ情報ＲＪ１とログ情報ＲＪ２との間には、小切手４の搬送準備が終了した処理内容を示す事象名称情報ＪＭＪ（「小切手搬送準備終了」）が対応付くログ情報ＲＪが記録されている。
【００６０】
なお、ログ情報ＲＪにおいて日時情報ＮＪに対応付く事象に関する情報は、複合処理装置１の状態、及び処理内容に限定されず、発生したエラーの内容を示すエラー情報等の他の情報でもよい。また、ログ情報ＲＪにおいて日時情報ＮＪに対応付く情報は、上述した情報（事象識別情報ＪＳＪ等）に限定されず、更に種々の情報が対応付いてもよい。
このように、複合処理装置１において処理の実行や状態の変化等の記録対象となる事象が発生したときに、装置揮発性メモリー１２０にログ情報ＲＪが記録される。
【００６１】
装置制御部１０００は、複合処理装置１の電源スイッチ７０がオフになったことを検出すると、装置不揮発性メモリー１１０に、装置揮発性メモリー１２０に記録された全てのログ情報ＲＪを記録する。電源スイッチ７０のオフ時に装置揮発性メモリー１２０に記録されたログ情報ＲＪを装置不揮発性メモリー１１０に記録することで、装置不揮発性メモリー１１０への記録回数を抑制し、且つ、電源スイッチ７０がオフされた際でもログ情報ＲＪを保存することができる。
【００６２】
図５は、複合処理装置１の動作を示すフローチャートＦＡである。
【００６３】
以下の説明において、複合処理装置１が実行する処理を「実行処理」と表現する。実行処理には、所定の基準で区切られた１の処理（以下、「単位処理」と表現する）と、複数の単位処理からなる一連の処理（以下、「一連処理」と表現する）とが含まれる。例えば、上述した小切手一連処理は、一連処理の一種である。
【００６４】
複合処理装置１の装置制御部１０００は、装置通信部１５０によりホストコンピューター３から識別情報記録コマンドを受信したか否かを判別する（ステップＳＡ１）。識別情報記録コマンドは、当該コマンドに含まれるログ識別情報ＲＳＪの、ログ情報記録領域１２０Ａへの記録を指示するコマンドである。ログ識別情報ＲＳＪは、例えば、ログ情報ＲＪがどの実行処理のログ情報ＲＪであるかを識別するためのテキスト（文字列）である。本実施形態において、識別情報記録コマンドには、開始ログ識別情報記録コマンドと終了ログ識別情報記録コマンドとの２種類がある。開始ログ識別情報記録コマンドは、開始ログ識別情報ＫＳＪ（開始識別情報）の記録を指示するコマンドである。開始ログ識別情報ＫＳＪは、１の実行処理の開始を示すログ識別情報ＲＳＪである。終了ログ識別情報記録コマンドは、終了ログ識別情報ＳＳＪ（終了識別情報）の記録を指示するコマンドである。終了ログ識別情報ＳＳＪは、１の実行処理の終了を示すログ識別情報ＲＳＪである。
【００６５】
装置制御部１０００は、識別情報記録コマンドを受信していないと判別した場合（ステップＳＡ１：ＮＯ）、処理をステップＳＡ５に移行させる。
【００６６】
一方で、装置制御部１０００は、識別情報記録コマンドを受信したと判別した場合（ステップＳＡ１：ＹＥＳ）、受信した識別情報記録コマンドに応じて、ログ識別情報ＲＳＪをログ情報記録領域１２０Ａに記録する。
装置制御部１０００は、受信した識別情報記録コマンドが、開始ログ識別情報記録コマンドである場合（ステップＳＡ２：「開始ログ識別情報記録コマンド」）、当該コマンドにより指定された開始ログ識別情報ＫＳＪを装置揮発性メモリー１２０のログ情報記録領域１２０Ａに記録する（ステップＳＡ３）。
また、装置制御部１０００は、受信した識別情報記録コマンドが、終了ログ識別情報記録コマンドである場合（ステップＳＡ２：「終了ログ識別情報記録コマンド」）、当該コマンドにより指定された終了ログ識別情報ＳＳＪを装置揮発性メモリー１２０のログ情報記録領域１２０Ａに記録する（ステップＳＡ４）。
【００６７】
次いで、装置制御部１０００は、実行処理を実行するか否かを判別する（ステップＳＡ５）。例えば、装置制御部１０００は、ホストコンピューター３から小切手一連処理の実行を指示する制御コマンドを受信し、ストッカー１５に小切手４が収容されておりＡＳＦ用紙検出器３１が小切手４を検出している場合、実行処理として小切手一連処理を実行すると判別する。
【００６８】
装置制御部１０００は、実行処理を実行しないと判別した場合（ステップＳＡ５：ＮＯ）、処理をステップＳＡ８に移行させる。
【００６９】
一方で、装置制御部１０００は、実行処理を実行すると判別した場合（ステップＳＡ５：ＹＥＳ）、実行処理を実行し、実行処理におけるログ情報ＲＪを装置揮発性メモリー１２０のログ情報記録領域１２０Ａに逐次記録する（ステップＳＡ６）。例えば、実行処理が小切手一連処理である場合、装置制御部１０００により、図４に示すログ情報ＲＪが、装置揮発性メモリー１２０のログ情報記録領域１２０Ａに記録される。
【００７０】
次いで、装置制御部１０００は、実行処理が終了したか否かを判別する（ステップＳＡ７）。例えば、装置制御部１０００は、実行処理が小切手一連処理である場合、１の小切手４の搬送が終了すると小切手一連処理が終了したと判別する（ステップＳＡ７：ＹＥＳ）。
【００７１】
装置制御部１０００は、実行処理が終了していないと判別した場合（ステップＳＡ７：ＮＯ）、実行処理におけるログ情報ＲＪの記録を継続する（ステップＳＡ６）。一方で、装置制御部１０００は、実行処理が終了したと判別した場合（ステップＳＡ７：ＹＥＳ）、ステップＳＡ８の処理に移行する。
【００７２】
図６は、装置揮発性メモリー１２０に記録されたログ情報ＲＪ、及びログ識別情報ＲＳＪの一例を示す図である。
【００７３】
図６では、小切手一連処理において記録されたログ情報ＲＪを例示する。また、図６では、小切手一連処理の実行前（処理開始時）に開始ログ識別情報記録コマンドを受信して開始ログ識別情報ＫＳＪを記録し、小切手一連処理の実行後（処理終了時）に終了ログ識別情報記録コマンドを受信して終了ログ識別情報ＳＳＪを記録した場合を例示する。
【００７４】
図６に示すように、ログ識別情報ＲＳＪは、経時的に、実行処理において記録したログ情報ＲＪに対して前後に記録される。ログ識別情報ＲＳＪのうち、開始ログ識別情報ＫＳＪは、経時的に、小切手一連処理において記録されるログ情報ＲＪより前に記録され、終了ログ識別情報ＳＳＪは、経時的に、小切手一連処理において記録されるログ情報ＲＪより後に記録される。
【００７５】
ログ識別情報ＲＳＪは、ログ情報ＲＪと同様、事象識別情報ＪＳＪ、日時情報ＮＪ、及び、事象名称情報ＪＭＪが対応付く。開始ログ識別情報ＫＳＪは、識別情報記録コマンドを実行し開始ログ識別情報ＫＳＪを記録したこと明示する事象名称情報ＪＭＪと、識別情報記録コマンドを実行した日時を示す日時情報ＮＪと、事象名称情報ＪＭＪに対応する事象識別情報ＪＳＪとが対応付いている。また、終了ログ識別情報ＳＳＪは、識別情報記録コマンドを実行し終了ログ識別情報ＳＳＪを記録したことを明示する事象名称情報ＪＭＪと、識別情報記録コマンドを実行した日時を示す日時情報ＮＪと、事象名称情報ＪＭＪに対応する事象識別情報ＪＳＪとが対応付いている。
【００７６】
なお、識別情報記録コマンドによるログ識別情報ＲＳＪの記録指示がない場合（ステップＳＡ１において否定判別し、且つステップＳＡ５において肯定判別した場合）、装置制御部１０００は、装置揮発性メモリー１２０に開始ログ識別情報ＫＳＪ及び終了ログ識別情報ＳＳＪを記録せずに、図４に示すように、実行処理におけるログ情報ＲＪを記録する。
【００７７】
図７は、ログ情報記録領域１２０Ａへのログ情報ＲＪとログ識別情報ＲＳＪの記録方法を説明するための図である。
図７に示すように、ログ情報記録領域１２０Ａは、第１ログ情報記録領域１２Ａ１と、第２ログ情報記録領域１２Ａ２とを含む。
【００７８】
第１ログ情報記録領域１２Ａ１は、ログ情報ＲＪとログ識別情報ＲＳＪとが時系列に記録される領域である。
【００７９】
第２ログ情報記録領域１２Ａ２は、第１ログ情報記録領域１２Ａ１に記録されたログ情報ＲＪのうち抽出条件に合う抽出ログ情報ＣＲＪと、第１ログ情報記録領域１２Ａ１に記録されたログ識別情報ＲＳＪとが時系列に記録される領域である。
抽出ログ情報ＣＲＪとは、第１ログ情報記録領域１２Ａ１に記録されたログ情報ＲＪから、第２ログ情報記録領域１２Ａ２への記録対象として抽出されたログ情報ＲＪである。例えば、抽出ログ情報ＣＲＪは、少しでも長くログ情報記録領域１２０Ａに記録しておく必要性が高いログ情報ＲＪが挙げられる。より具体的には、例えば、抽出ログ情報ＣＲＪは、検出器の状態変化に関するログ情報ＲＪ等のように、後に、複合処理装置１のメンテナンスを行う者が活用可能なログ情報ＲＪが挙げられる。
装置制御部１０００は、予め定められた事象に対応する事象識別情報ＪＳＪのリストを抽出条件として有しており、当該抽出条件に合うログ情報ＲＪを抽出ログ情報ＣＲＪとして抽出し、第２ログ情報記録領域１２Ａ２に記録する。以下の説明では、第２ログ情報記録領域１２Ａ２に記録される前であっても、抽出条件を満たすログ情報ＲＪは抽出ログ情報ＣＲＪと表現する場合がある。すなわち、抽出ログ情報ＣＲＪには、第１ログ情報記録領域１２Ａ１に記録されているログ情報ＲＪのうち抽出条件を満たすログ情報ＲＪと、第２ログ情報記録領域１２Ａ２に記録されている抽出ログ情報ＣＲＪとが含まれる。また、第１ログ情報記録領域１２Ａ１に記録されているログ情報ＲＪのうち抽出条件を満たすログ情報ＲＪを、抽出相当ログ情報または抽出前ログ情報と表現して、第２ログ情報記録領域１２Ａ２に記録された抽出ログ情報ＣＲＪと区別する場合もある。
【００８０】
図７を参照して、ログ情報記録領域１２０Ａへの記録について説明する。
装置制御部１０００は、ログ情報ＲＪ及びログ識別情報ＲＳＪを第１ログ情報記録領域１２Ａ１に記録していく。第１ログ情報記録領域１２Ａ１では、ログ情報ＲＪ及びログ識別情報ＲＳＪが時系列で記録される。第１ログ情報記録領域１２Ａ１に１のログ情報ＲＪ又は１のログ識別情報ＲＳＪを記録する際、第１ログ情報記録領域１２Ａ１に十分な記録領域が無い場合、装置制御部１０００は、以下の処理を実行する。
【００８１】
装置制御部１０００は、第１ログ情報記録領域１２Ａ１に記録されている情報（ログ情報ＲＪ及びログ識別情報ＲＳＪを含む）のうち日時が最も古い１の情報を特定し、特定した情報が、抽出ログ情報ＣＲＪ（抽出相当ログ情報）、又はログ識別情報ＲＳＪである場合、第２ログ情報記録領域１２Ａ２に移動させる。一方で、装置制御部１０００は、特定した情報が抽出ログ情報ＣＲＪ（抽出相当ログ情報）又はログ識別情報ＲＳＪのいずれの情報でもない場合、特定した情報を破棄する。これにより第１ログ情報記録領域１２Ａ１に空き領域を設け、新たなログ情報ＲＪ又はログ識別情報ＲＳＪを、第１ログ情報記録領域１２Ａ１に記録する。すなわち、第１ログ情報記録領域１２Ａ１には、限られた記録容量の範囲内で、最新のログ情報ＲＪ及びログ識別情報ＲＳＪが記録され、第２ログ情報記録領域１２Ａ２には、第１ログ情報記録領域１２Ａ１から溢れた過去のログ情報ＲＪのうち抽出条件を満たすログ情報ＲＪ（抽出ログ情報ＣＲＪ）と、ログ識別情報ＲＳＪとが記録される。
【００８２】
装置制御部１０００は、第１ログ情報記録領域１２Ａ１から特定した情報が、抽出ログ情報ＣＲＪ（抽出相当ログ情報）であるかログ識別情報ＲＳＪであるかを、対応付く事象識別情報ＪＳＪを参照して判別する。例えば、事象識別情報ＪＳＪが「ＡＡＡＡ」であるログ情報ＲＪを抽出ログ情報ＣＲＪとすることが予め設定されている場合、装置制御部１０００は、「ＡＡＡＡ」の事象識別情報ＪＳＪが対応付くログ情報ＲＪを抽出ログ情報ＣＲＪとして第２ログ情報記録領域１２Ａ２に記録する。
また、ログ識別情報ＲＳＪについては、全てのログ識別情報ＲＳＪが第２ログ情報記録領域１２Ａ２に記録される。装置制御部１０００は、事象識別情報ＪＳＪがログ識別情報ＲＳＪに対応付く情報（例えば、「ＹＹＹ１」、「ＹＹＹ２」）である場合、その事象識別情報ＪＳＪが対応付く情報をログ識別情報ＲＳＪとして第２ログ情報記録領域１２Ａ２に記録する。
【００８３】
以上のようにして、第１ログ情報記録領域１２Ａ１には、ログ情報ＲＪ及びログ識別情報ＲＳＪが記録され、第２ログ情報記録領域１２Ａ２には、抽出ログ情報ＣＲＪ及びログ識別情報ＲＳＪが記録される。
【００８４】
本実施形態の複合処理装置１は、装置制御部１０００により、ログ情報記録領域１２０Ａに、ホストコンピューター３から指定されたログ識別情報ＲＳＪを、ログ情報ＲＪと共に記録する。このログ識別情報ＲＳＪの記録により、装置制御部１０００は、実行処理が単位処理でも一連処理でも、実行処理毎に、記録されたログ情報ＲＪがどの実行処理で記録されたログ情報ＲＪであるかを識別可能に記録でき、ログ情報ＲＪをログ情報記録領域１２０Ａにおいて適切に管理できる。
【００８５】
また、複合処理装置１は、装置制御部１０００により、第１ログ情報記録領域１２Ａ１に全てのログ情報ＲＪ及びログ識別情報ＲＳＪを記録し、第２ログ情報記録領域１２Ａ２にログ情報ＲＪから抽出した抽出ログ情報ＣＲＪとログ識別情報ＲＳＪとを記録する。第１ログ情報記録領域１２Ａ１に記録されたログ情報ＲＪのうち、記録しておく必要性が低いログ情報ＲＪは破棄され、少しでも長くログ情報記録領域１２０Ａに記録しておく必要性の高いログ情報ＲＪは第２ログ情報記録領域１２Ａ２に記録される。そのため、装置制御部１０００は、有限のログ情報記録領域１２０Ａにおいてログ情報を効率よく記録し管理できる。
【００８６】
また、装置制御部１０００は、ログ識別情報ＲＳＪとして開始ログ識別情報ＫＳＪと終了ログ識別情報ＳＳＪとを記録する。これにより、記録されたログ情報ＲＪのうちどこからどこまでが１の実行処理において記録されたログ情報ＲＪかをより明確に識別可能に記録できるため、装置制御部１０００は、ログ情報ＲＪをログ情報記録領域１２０Ａにおいてより適切に管理できる。
【００８７】
図７に示す記録態様は、１のログ情報ＲＪ及び１のログ識別情報ＲＳＪを記録する際、第１ログ情報記録領域１２Ａ１に十分な記録領域が無い場合に、第１ログ情報記録領域１２Ａ１から第２ログ情報記録領域１２Ａ２に、抽出ログ情報ＣＲＪとログ識別情報ＲＳＪとを移動して記録する態様である。しかしながら、上記記録態様の他に、装置制御部１０００は、以下の記録態様で第２ログ情報記録領域１２Ａ２に抽出ログ情報ＣＲＪとログ識別情報ＲＳＪとを記録してもよい。
すなわち、装置制御部１０００は、第１ログ情報記録領域１２Ａ１に記録するログ情報ＲＪが抽出ログ情報ＣＲＪの条件に合致する場合、このログ情報ＲＪを第１ログ情報記録領域１２Ａ１に記録すると共に第２ログ情報記録領域１２Ａ２にも記録する。また、装置制御部１０００は、識別情報記録コマンドを受信したとき、ログ識別情報ＲＳＪを第１ログ情報記録領域１２Ａ１に記録すると共に第２ログ情報記録領域１２Ａ２にも記録する。そして、第１ログ情報記録領域１２Ａ１と第２ログ情報記録領域１２Ａ２の記録容量の範囲内で、古い情報を順に破棄しながら最新の情報を記録していく。このような記録態様でも、上述した効果と同様の効果を奏する。
【００８８】
図５に示すフローチャートの説明に戻り、装置制御部１０００は、電源スイッチ７０がオフされた否かを判別する（ステップＳＡ８）。装置制御部１０００は、電源スイッチ７０がオフされていないと判別した場合（ステップＳＡ８：ＮＯ）、処理をステップＳＡ１に戻す。
【００８９】
電源スイッチ７０がオフされたと判別した場合（ステップＳＡ８：ＹＥＳ）、装置制御部１０００は、装置揮発性メモリー１２０のログ情報記録領域１２０Ａに記録された全ての情報を、装置不揮発性メモリー１１０に記録する（ステップＳＡ９）。より詳細には、電源スイッチ７０がオフにされ、電源部（不図示）から供給される電圧が、装置制御部１０００が動作不能となる電圧に低下するまでの間に、装置揮発性メモリー１２０のログ情報記録領域１２０Ａに記録されている全ての情報を装置不揮発性メモリー１１０のログ情報退避領域に格納し退避させる。
すなわち、第１ログ情報記録領域１２Ａ１に記録されたログ情報ＲＪとログ識別情報ＲＳＪ、及び、第２ログ情報記録領域１２Ａ２に記録された抽出ログ情報ＣＲＪとログ識別情報ＲＳＪを、装置不揮発性メモリー１１０に保存する。このように、装置不揮発性メモリー１１０のログ情報退避領域は、装置揮発性メモリー１２０のログ情報記録領域１２０Ａに相当する。そして、ログ情報退避領域は、第１ログ情報記録領域１２Ａ１に相当する第１退避領域と、第２ログ情報記録領域１２Ａ２に相当する第２退避領域とを有する。この場合に、装置不揮発性メモリー１１０のデータ消去および書き替え単位である１セクタを第１退避領域として用い、他の１セクタを第２退避領域として用いることが好ましい。退避領域をセクタ単位で設けることにより、装置不揮発性メモリー１１０を効率よく利用することができる。
この退避処理に必要な時間を確保するため、例えば、複合処理装置１の電源部はコンデンサーを備え、電源スイッチ７０がオフされた後は、コンデンサーに蓄積された電荷に基づく電力が装置制御部１０００に供給される。
【００９０】
ログ情報記録領域１２０Ａに記録されたログ情報ＲＪ及びログ識別情報ＲＳＪは、ホストコンピューター３からの出力指示があった場合、複合処理装置１からホストコンピューター３へ出力される。
【００９１】
図８は、ログ情報出力処理におけるホストコンピューター３、及び複合処理装置１の動作を示すフローチャートである。図８において、フローチャートＦＢはホストコンピューター３の動作を示し、フローチャートＦＣは複合処理装置１の動作を示す。
【００９２】
ホストコンピューター３のホスト制御部３０００は、複合処理装置１のログ情報ＲＪの出力を指示する出力指示があった否かを判別する（ステップＳＢ１）。例えば、複合処理装置１のログ情報ＲＪの表示を指示するユーザーの操作を、ホスト入力部３４０が検出した場合、ホスト制御部３０００は、出力指示があったと判別する（ステップＳＢ１：ＹＥＳ）。
【００９３】
ホスト制御部３０００は、出力指示があったと判別した場合（ステップＳＢ１：ＹＥＳ）、ホスト通信部３３０により、複合処理装置１に対して、ログ情報ＲＪの出力（送信）を要求するログ情報送信要求コマンドを送信する（ステップＳＢ２）。
【００９４】
複合処理装置１の装置制御部１０００は、ホストコンピューター３から送信されたログ情報送信要求コマンドを受信する（ステップＳＣ１）。
【００９５】
装置制御部１０００は、ログ情報送信要求コマンドを受信すると、ログ情報記録領域１２０Ａからホストコンピューター３に送信する情報を取得する（ステップＳＣ２）。
【００９６】
装置制御部１０００は、ステップＳＣ２において、ログ情報記録領域１２０Ａからホストコンピューター３に送信する情報を取得する際、第２ログ情報記録領域１２Ａ２に記録された全ての抽出ログ情報ＣＲＪ及びログ識別情報ＲＳＪを、ホストコンピューター３に送信する情報として取得する。
また、装置制御部１０００は、ステップＳＣ２において、第１ログ情報記録領域１２Ａ１に記録された情報のうち、後に第２ログ情報記録領域１２Ａ２に抽出ログ情報ＣＲＪとして記録されるログ情報ＲＪ（抽出相当ログ情報）と、ログ識別情報ＲＳＪとを、ホストコンピューター３に送信する情報として取得する。なお、装置制御部１０００は、第１ログ情報記録領域１２Ａ１からホストコンピューター３に送信する情報を取得する際、事象識別情報ＪＳＪを参照して取得する。
【００９７】
装置制御部１０００は、ログ情報記録領域１２０Ａからホストコンピューター３に送信する情報を取得すると、取得した情報をホストコンピューター３に送信する（ステップＳＣ３）。この送信は、ホストコンピューター３に情報を出力することに相当する。なお、ホスト制御部３０００は、取得した情報を時系列でホストコンピューター３に送信する。
【００９８】
装置制御部１０００は、装置揮発性メモリー１２０のログ情報記録領域１２０Ａからホストコンピューター３に送信する情報を取得して送信する場合、ログ情報記録領域１２０Ａに記録された全ての情報を装置不揮発性メモリー１１０のログ情報退避領域に保存してもよい。これにより、送信した情報と装置不揮発性メモリー１１０に記録されている情報を同期させることができる。
【００９９】
ホストコンピューター３のホスト制御部３０００は、ホスト通信部３３０により、複合処理装置１がステップＳＣ３で送信した情報を受信する（ステップＳＢ３）。そして、ホスト制御部３０００は、ステップＳＢ３で受信した情報に基づいて、抽出ログ情報ＣＲＪ（抽出相当ログ情報を含む）、及びログ識別情報ＲＳＪをホスト表示部３５０により表示する（ステップＳＢ４）。なお、ホスト制御部３０００は、受信した抽出ログ情報ＣＲＪ及びログ識別情報ＲＳＪを時系列でホスト表示部３５０に表示する。
【０１００】
このように、装置制御部１０００は、ホストコンピューター３からログ情報ＲＪの出力指示があった場合、抽出ログ情報ＣＲＪとログ識別情報ＲＳＪとをホストコンピューター３に送信する。これにより、ホストコンピューター３は、どの実行処理における抽出ログ情報ＣＲＪであるかを識別可能な態様で、抽出ログ情報ＣＲＪをユーザーに提示できる。
なお、ホストコンピューター３に送信する情報は、ログ情報記録領域１２０Ａに記録されている全ての情報であってもよい。また、ログ情報送信要求コマンドにより、要求する情報を指定するようにしてもよい。例えば、要求する情報が、ログ情報記録領域１２０Ａに記録されている情報のうち抽出ログ情報（抽出相当ログ情報を含む）及びログ識別情報ＲＳＪであるか、ログ情報記録領域１２０Ａに記録されている全ての情報であるかを、ログ情報送信要求コマンドで指定してもよい。また、ホストコンピューター３に送信する情報は、装置不揮発性メモリー１１０のログ情報退避領域に記録されている情報に基づくものであってもよい。
【０１０１】
ログ識別情報ＲＳＪをログ情報ＲＪと共に記録することは、例えば、複合処理装置１の出荷前の検査等において好適な記録態様である。
検査項目ごとに異なる実行処理を行う場合、ユーザー（オペレーター）は、検査項目ごとにホストコンピューター３から複合処理装置１に識別情報記録コマンドを送信する。これにより、装置制御部１０００は、検査項目ごとに、ログ識別情報ＲＳＪをログ情報ＲＪと共に記録できる。そのため、ホストコンピューター３は、複合処理装置１からログ識別情報ＲＳＪとログ情報ＲＪとを取得することで、どの検査項目において記録されたログ情報ＲＪであるのかをユーザーに容易に認識させることができる。これにより、ユーザーは、複数の検査項目がある検査工程にて何か不具合があった場合でも、どの検査項目で不具合があったのかを速やかに認識できようになる。
また、部品交換等の修理時に、識別情報記録コマンドを利用して、修理したことをログ識別情報ＲＳＪとして記録してもよい。この場合には、ログ情報ＲＪが修理前の情報か、修理後の情報かを認識できるようになる。
【０１０２】
以上、説明したように、複合処理装置１（印刷装置）は、ホストコンピューター３（外部装置）に接続され、複合処理装置１は、複合処理装置１の状態及び処理内容を示すログ情報ＲＪを記録するログ情報記録領域１２０Ａに、ホストコンピューター３から受信した識別情報記録コマンドにより指定されたログ識別情報ＲＳＪ（識別情報）を、ログ情報ＲＪと共に記録する装置制御部１０００（制御部）を備える。
【０１０３】
この構成によれば、ログ情報記録領域１２０Ａにログ識別情報ＲＳＪをログ情報ＲＪと共に記録するため、単体処理毎に、或いは、一連処理毎にログ情報ＲＪを管理できるようになり、ログ情報ＲＪを適切に管理できる。
【０１０４】
また、ログ情報記録領域１２０Ａは、第１ログ情報記録領域１２Ａ１と第２ログ情報記録領域１２Ａ２とを含む。装置制御部１０００は、第１ログ情報記録領域１２Ａ１に、ログ情報ＲＪ及びログ識別情報ＲＳＪを記録し、第２ログ情報記録領域１２Ａ２に、抽出ログ情報ＣＲＪ及びログ識別情報ＲＳＪを記録する。
【０１０５】
この構成によれば、第１ログ情報記録領域１２Ａ１に、ログ情報ＲＪ及びログ識別情報ＲＳＪを記録し、第２ログ情報記録領域１２Ａ２に、抽出ログ情報ＣＲＪ及びログ識別情報ＲＳＪを記録するため、多くのログ情報ＲＪを適切に管理できる。
【０１０６】
また、装置制御部１０００は、ホストコンピューター３からログ情報ＲＪの送信指示（出力指示）があった場合に、第１ログ情報記録領域に記録された前記ログ情報に含まれ、後に前記抽出ログ情報として前記第２ログ情報記録領域に記録される抽出相当ログ情報（抽出前ログ情報）、及び前記第１ログ情報記録領域に記録された前記識別情報、並びに、第２ログ情報記録領域１２Ａ２に記録された抽出ログ情報ＣＲＪ、及びログ識別情報ＲＳＪを送信（出力）する。
【０１０７】
この構成によれば、送信指示があった場合にログ情報記録領域１２０Ａに記録された抽出ログ情報ＣＲＪ（抽出相当ログ情報を含む）とログ識別情報ＲＳＪとを送信する、ホストコンピューター３は、どの実行処理における抽出ログ情報ＣＲＪであるかを識別可能な態様で、抽出ログ情報ＣＲＪをユーザーに提示できるようになる。
【０１０８】
また、ログ識別情報ＲＳＪは、複合処理装置１が実行する所定処理の開始を示す開始ログ識別情報ＫＳＪ（開始識別情報）と、処理の終了を示す終了ログ識別情報ＳＳＪ（終了識別情報）とを含む。
【０１０９】
この構成によれば、ログ識別情報ＲＳＪが開始ログ識別情報ＫＳＪと終了ログ識別情報ＳＳＪとを含むため、処理の開始と終了とを記録でき、ログ情報ＲＪをより適切に管理できる。
【０１１０】
上述した実施形態は、あくまでも本発明の一態様を示すものであり、本発明の範囲内で任意に変形および応用が可能である。
【０１１１】
例えば、上述した実施形態では、印刷装置として複合処理装置１を例示したが、複数の印刷ユニットやＣＩＳユニット等を有する印刷装置に限定されず、少なくとも１の印刷ユニットを有する印刷装置であればよい。
【０１１２】
また、例えば、上述した実施形態では、複合処理装置１のログ情報ＲＪ及びログ識別情報ＲＳＪの出力を、ホストコンピューター３への送信として説明した。しかしながら、出力形態は、ホストコンピューター３への送信に限定されず、例えば、ロール紙Ｒへの印刷や、表示ディスプレー８０での表示でもよい。
【０１１３】
また、例えば、上述した複合処理装置１の制御方法（印刷装置の制御方法）が、複合処理装置１が備えるコンピューター、又は、複合処理装置１に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。
【０１１４】
また、装置制御部１０００、及び、ホスト制御部３０００の機能は、複数のプロセッサー、又は、半導体チップにより実現してもよい。例えば、装置制御部１０００、及び、ホスト制御部３０００が、ＳｏＣ（System-on-a-Chip）やＭＣＵ（Micro Control Unit）、ＦＰＧＡ（Field-Programmable Gate Array）等の副処理装置（co-processor）をさらに備える構成であってもよい。また、装置制御部１０００、及び、ホスト制御部３０００は、ＣＰＵ及び副処理装置の双方を協働させるか、あるいは双方のうちの一方を選択的に用いて各種の制御を行ってもよい。
【０１１５】
また、例えば、図５、及び図８の処理単位は、複合処理装置１、及びホストコンピューター３の処理を理解容易にするために、主な処理内容に応じて分割したものであり、処理単位の分割の仕方や名称によって、本発明が限定されることはない。処理内容に応じて、さらに多くの処理単位に分割してもよい。また、１つの処理単位がさらに多くの処理を含むように分割してもよい。また、その処理の順番は、本発明の趣旨に支障のない範囲で適宜に入れ替えてもよい。
【０１１６】
また、図３に示した各機能部は機能的構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した実施形態においてソフトウェアで実現される機能の一部をハードウェアとしてもよく、或いは、ハードウェアで実現される機能の一部をソフトウェアで実現してもよい。その他、複合処理装置１、及びホストコンピューター３の他の各部の具体的な細部構成についても、本発明の趣旨を逸脱しない範囲で任意に変更可能である。
【符号の説明】
【０１１７】
１…複合処理装置（印刷装置）、３…ホストコンピューター（外部装置）、１０…インクジェットヘッド、１２Ａ１…第１ログ情報記録領域、１２Ａ２…第２ログ情報記録領域、２２…ＭＣＲヘッド、２６…ホッパー駆動モーター、２７…ＡＳＦモーター、２８…ピックアップローラー、３１…ＡＳＦ用紙検出器、３２…ホッパー位置検出器、３５…ＭＩＣＲヘッド、３８…用紙長検出器、４２…搬送モーター、４６…中間検出器、４７…表面ＣＩＳユニット、４８…裏面ＣＩＳユニット、５２…排出検出器、５５…切替板駆動モーター、６５…サーマルヘッド、７０…電源スイッチ、１００…装置プロセッサー、１１０…装置不揮発性メモリー、１２０…装置揮発性メモリー、１２０Ａ…ログ情報記録領域、１３０…装置表示部、１４０…装置入力部、１５０…装置通信部、１６０…ヘッド駆動回路、１７０…モータードライバー、１８０…読取制御回路、１９０…検出器駆動回路、３００…ホストプロセッサー、３１０…ホスト不揮発性メモリー、３２０…ホスト揮発性メモリー、３３０…ホスト通信部、３４０…ホスト入力部、３５０…ホスト表示部、１０００…装置制御部、３０００…ホスト制御部（制御部）、ＣＲＪ…抽出ログ情報、ＲＪ…ログ情報、ＲＪ１〜ＲＪ８…ログ情報、ＲＳＪ…ログ識別情報（識別情報）。
【図１】
2019128871.tif 000003
【図２】
2019128871.tif 000004
【図３】
2019128871.tif 000005
【図４】
2019128871.tif 000006
【図５】
2019128871.tif 000007
【図６】
2019128871.tif 000008
【図７】
2019128871.tif 000009
【図８】
2019128871.tif 000010